(57)【要約】  【課題】受け取る側にインパクトを与え、多数の人が好んで受け取ってもらえるような工夫がなされた折込ビラ用紙を提供すること。  【解決手段】折込ビラ用紙２においては、顔部１１、口部１２、鼻部１３、脚ヒレ部１４、及び説明部１５が表側及び裏側に個々に分かれて表示される。また、折込ビラ用紙２の表側には、アピール領域に立候補者の写真１６が掲載されている。折込ビラ用紙２の表側と裏側には、説明記載領域である説明部１７ａ〜１７ｈが設けられている。折込ビラ用紙２の表側には、紙製キャラクタフィギュアを作成する所定の手順を記載した手順記載領域１８が設けられている。  【選択図】図２
0003104608.tif 000002
【実用新案登録請求の範囲】
【請求項１】
ビラ用紙本体と、前記ビラ用紙本体上に設けられ、キャラクタの部位を表示するキャラクタ部位表示領域と、前記ビラ用紙本体上に設けられ、種々の説明を記載した説明記載領域と、を具備し、所定の手順で折り込むことにより前記キャラクタの形状を具現することを特徴とする折込ビラ用紙。
【請求項２】
前記説明記載領域は、前記ビラ用紙本体上に分離して複数設けられており、前記キャラクタの形状を具現するように折り込む過程で、分離して設けられた前記説明記載領域に記載された文章が結合して説明を構成することを特徴とする請求項１記載の折込ビラ用紙。
【請求項３】
前記ビラ用紙本体はＡ４サイズ以下であり、前記Ａ４サイズ以下のサイズのうち前記キャラクタを折り込む部分が正方形であり、残りの部分が前記キャラクタを折り込む手順を記載した部分であることを特徴とする請求項１又は請求項２記載の折込ビラ用紙。
【請求項４】
前記ビラ用紙本体は、アピールする客体の写真又は肖像を記載するアピール領域を有し、前記アピール領域は、前記キャラクタの形状を具現するように折り込む過程で、折込み部分により前記アピールする客体が露呈する位置に設けられることを特徴とする請求項１から請求項３のいずれかに記載の折込ビラ用紙。
【請求項５】
前記キャラクタの形状を具現するように折り込む部分を特定する折込線を有することを特徴とする請求項１から請求項６のいずれかに記載の折込ビラ用紙。
【請求項６】
前記折込ビラ用紙が選挙用ビラ用紙であり、前記アピールする客体が選挙の立候補者であることを特徴とする請求項１から請求項５のいずれかに記載の折込ビラ用紙。
【請求項７】
前記キャラクタが人気のある動物であることを特徴とする請求項１から請求項６のいずれかに記載の折込ビラ用紙。
【考案の詳細な説明】
【技術分野】
【０００１】
本考案は折込ビラ用紙に関し、特に種々のキャラクタに折り込むことが可能である選挙ビラに関する。
【背景技術】
【０００２】
従来より、選挙ビラなどのビラ用紙は、例えばＡ４サイズのように大きさが法律上定められており、プロフィールや選挙公約などが全面に記載されている。このようなビラ用紙は、そのままの状態で、すなわち折り込まれることなしに選挙期間中に選挙区民に配布される。
【考案の開示】
【考案が解決しようとする課題】
【０００３】
しかしながら、このような画一的な選挙ビラを配っても、他の立候補者と何ら差別化することができず、選挙ビラによって選挙民にインパクトを与えることはできない。また、できるだけ多数の人に関心を持ってもらうように、多数の人がより興味を持ち手に取ってくれるような形にすることも望まれている。
【０００４】
本考案はかかる点に鑑みてなされたものであり、受け取る側にインパクトを与え、多数の人が好んで受け取ってくれるような工夫がなされた選挙ビラを提供することを目的とする。
【課題を解決するための手段】
【０００５】
本考案は、ビラ用紙本体と、前記ビラ用紙本体上に設けられ、キャラクタの部位を表示するキャラクタ部位表示領域と、前記ビラ用紙本体上に設けられ、種々の説明を記載した説明記載領域と、を具備し、所定の手順で折り込むことにより前記キャラクタの形状を具現することを特徴とする。
【０００６】
この構成によれば、受け取る側にインパクトを与え、多数の人に興味をもってビラを受け取らせることができ、ビラに記載した説明を多くの人の目に触れさせることが可能となる。
【０００７】
本考案の折込ビラ用紙においては、前記説明記載領域は、前記ビラ用紙本体上に分離して複数設けられており、前記キャラクタの形状を具現するように折り込む過程で、分離して設けられた前記説明記載領域に記載された文章が結合して説明を構成することが好ましい。
【０００８】
本考案の折込ビラ用紙においては、前記ビラ用紙本体はＡ４サイズ以下のサイズであり、前記Ａ４サイズ以下のサイズのうち前記キャラクタを折り込む部分が正方形であり、残りの部分が前記キャラクタを折り込む手順を記載した部分であることが好ましい。
【０００９】
本考案の折込ビラ用紙においては、前記ビラ用紙本体は、アピールする客体の写真又は絵を記載するアピール領域を有し、前記アピール領域は、前記キャラクタの形状を具現するように折り込む過程で前記アピールする客体が露呈する位置に設けられることが好ましい。
【００１０】
本考案の折込ビラ用紙においては、前記折込ビラ用紙が選挙用ビラ用紙であり、前記アピールする客体が選挙の立候補者であることが好ましい。
【００１１】
本考案の折込ビラ用紙においては、前記キャラクタが人気のある動物であることを特徴とする請求項１から請求項６のいずれかに記載の折込ビラ用紙。
【考案の効果】
【００１２】
本考案の折込ビラ用紙は、受け取る側にインパクトを与え、多数の人が好んで受け取ってもらえるような工夫がなされたものであり、この折込ビラ用紙を紙製キャラクタフィギュアに折り込むことにより、多数の人が好奇心をもってそのフィギュアが具現されたビラを受け取る。そのため、ビラに記載した説明を多くの人の目に触れさせることが可能となり、特に、多数の人に受け取ってもらうことが必要とされる選挙用ビラとして使用する場合に有効である。
【考案を実施するための最良の形態】
【００１３】
以下、本考案の実施の形態について、添付図面を参照して詳細に説明する。
図１は、本考案の一実施の形態に係る折込ビラ用紙を折り込んで得られた紙製キャラクタフィギュアを示す図である。ここでは、折込ビラ用紙が正方形の選挙ビラであり、キャラクタが人気のある動物タマちゃん（あざらし）である場合について説明する。
【００１４】
図１において、紙製キャラクタフィギュア１は、キャラクタ部位表示領域である、顔部１１、口部１２、鼻部１３、及び脚ヒレ部１４と、説明記載領域である説明部１５とを有する。説明部１５には、例えば選挙の立候補者の名前などを記載する。
【００１５】
図２（ａ）,（ｂ）は、本考案の折込ビラ用紙２を示す図である。図２（ａ）は表側を示し、図２（ｂ）は裏側を示す。なお、折込ビラ用紙２の表側と裏側は特に制限はなく、表裏の関係にあれば良い。顔部１１、口部１２、鼻部１３、脚ヒレ部１４、及び説明部１５は、折込ビラ用紙２の表側及び裏側に個々に分かれて表示される。キャラクタ部位を折込ビラ用紙２のどの場所に表示するかは、完成体である紙製キャラクタフィギュア１により適宜変更することが可能である。
【００１６】
表側には、アピール領域に立候補者の全身写真１６が掲載されている。この写真１６を掲載する位置は、図３に示すようにキャラクタの形状を具現するように折り込む過程で立候補者の顔が現れる位置に設けられている。また、折込ビラ用紙２の表側と裏側には、説明記載領域である説明部１７ａ〜１７ｈが設けられている。説明部１７ａ〜１７ｈは、折込ビラ用紙２の表側と裏側に分離して複数設けられており、その一部（１７ｅ,１７ｆ）は、図４に示すように、折込ビラ用紙２をキャラクタの形状を具現するように折り込む過程で、説明部１７ｅ,１７ｆに記載された文章が結合して説明を構成するようになっている。このようにすることにより、折込ビラ用紙２を折り込んでいく途中に使用者に対して文章で主張内容を訴えることが可能となる。なお、説明部における文字は、従来の印刷方法とは異なり、折込ビラ用紙２を折り込む過程で使用者が通常読める方向に向けられていることが望ましい。
【００１７】
また、折込ビラ用紙２の表側には、紙製キャラクタフィギュア１を作成する所定の手順を記載した手順記載領域１８が設けられている。使用者は、この手順記載領域１８に記載された手順にしたがって折込ビラ用紙２を折り込んでいくことにより、紙製キャラクタフィギュア１を作成することができる。なお、この手順記載領域１８は、折込ビラ用紙２を折り込む際に使用者が見やすい位置に設けることが好ましい。また、折込ビラ用紙２の表側及び裏側には、キャラクタの形状を具現するように折り込む部分を特定する折込線１９が記載されている。この折込線１９により、より簡単に紙製キャラクタフィギュア１を作成することができる。
【００１８】
図２に示す折込ビラ用紙２を手順記載領域１８の記載にしたがって折り込んでいくと、図３に示すように、立候補者の顔が現れて、その回りに選挙公約などの説明部１７ａ,１７ｂ,１７ｄ,１７ｈが現れ、図４に示すように、説明部１７ｅ,１７ｆに記載された文章が結合して説明を構成する。その後、図１に示すような紙製キャラクタフィギュア１が完成する。
【００１９】
図５は、本考案の他の実施の形態に係る折込ビラ用紙を示す図である。図５（ａ）は表側を示し、図５（ｂ）は裏側を示す。また、図６は、本考案の他の実施の形態に係る折込ビラ用紙を折り込んで得られた紙製キャラクタフィギュアを示す図である。ここでは、折込ビラ用紙が選挙ビラであり、キャラクタがくまである場合について説明する。
【００２０】
この折込ビラ用紙２は、Ａ４サイズであり、Ａ４サイズのうちキャラクタを折り込む部分２１が正方形であり、残りの部分がキャラクタを折り込む手順を記載した手順記載領域２２である。正方形の部分２１と手順記載領域２２との境界には切り取り線が記載してあり、手順記載領域２２を切り離して、それを見ながら使用者は紙製キャラクタフィギュア１を作成することができる。このように手順記載領域２２を切り離せるようにしておくことにより、手順記載領域の位置を考慮することなく、説明記載領域を設けることができ、レイアウトの自由度を高くすることができる。
【００２１】
顔部２３及び鼻部２４は、折込ビラ用紙２の表側に個々に表示される。また、折込ビラ用紙２の表側と裏側には、説明記載領域である説明部２５ａ〜２５ｅが設けられている。図５に示す折込ビラ用紙２を手順記載領域２２の記載にしたがって折り込んでいくと、図６に示すような紙製キャラクタフィギュア１が完成する。
【００２２】
図７は、本考案の他の実施の形態に係る折込ビラ用紙を示す図である。図７（ａ）は表側を示し、図７（ｂ）は裏側を示す。また、図８は、本考案の他の実施の形態に係る折込ビラ用紙を折り込んで得られた紙製キャラクタフィギュアを示す図である。ここでは、折込ビラ用紙が正方形の選挙ビラであり、キャラクタが立候補者そのもの（人物）である場合について説明する。
【００２３】
折込ビラ用紙２の表側には、人物の全身写真３１が掲載されている。また、折込ビラ用紙２の裏側には、顔部３３が表示されている。また、折込ビラ用紙２の表側と裏側には、説明記載領域である説明部３２ａ〜３２ｅが設けられている。また、折込ビラ用紙２の表側の下部には、手順記載領域３４が設けられている。図７に示す折込ビラ用紙２を手順記載領域３４の記載にしたがって折り込んでいくと、図８に示すような紙製キャラクタフィギュア１が完成する。
【００２４】
図５〜図８に示す本考案の折込ビラ用紙は、紙製キャラクタフィギュアを人物の形に折り込むことができ、かつ、アピール領域にも立候補者の写真が記載されているので、受け取る側に立候補者の強いインパクトを与え、選挙ビラとしての使用がきわめて有効となる。
【００２５】
なお、上記実施の形態においては、折込ビラ用紙が選挙ビラである場合について説明しているが、本考案は折込ビラ用紙が選挙ビラ以外のビラである場合にも同様に適用することが可能である。また、説明記載領域に記載される説明文には、その内容に特に制限はないので、例えば、商品の宣伝ビラであればその商品の特徴を記載する等、そのビラの目的に応じて適宜変更される。
【００２６】
上記実施の形態においては、キャラクタが人物や動物である場合について説明しているが、本考案はキャラクタが乗り物や他の人を惹きつけるものである場合にも適用することができる。
【００２７】
上記実施の形態においては、折込ビラ用紙の形状が正方形やＡ４サイズ以下のサイズの長方形である場合について説明しているが、本考案は折込ビラ用紙の形状が正方形やその他種々の形状である場合にも適用することができる。
【００２８】
上記実施の形態においては、全身写真を掲載する場合について説明しているが、アピール領域には、他の写真やイラストを掲載するようにしても良い。
【産業上の利用可能性】
【００２９】
本考案は、選挙ビラなどのように多数の人に配布されるビラ用紙に適用することができる。
【図面の簡単な説明】
【００３０】
【図１】本考案の一実施の形態に係る折込ビラ用紙を折り込んで得られた紙製キャラクタフィギュアを示す図である。
【図２】本考案の一実施の形態に係る折込ビラ用紙を示す図である。（ａ）は表側を示し、（ｂ）は裏側を示す。
【図３】本考案の一実施の形態に係る折込ビラ用紙を折り込ん紙製キャラクタフィギュアを作成する途中の状態を示す図である。
【図４】本考案の一実施の形態に係る折込ビラ用紙を折り込ん紙製キャラクタフィギュアを作成する途中の状態を示す図である。
【図５】本考案の他の実施の形態に係る折込ビラ用紙を示す図である。（ａ）は表側を示し、（ｂ）は裏側を示す。
【図６】本考案の他の実施の形態に係る折込ビラ用紙を折り込んで得られた紙製キャラクタフィギュアを示す図である。
【図７】本考案の他の実施の形態に係る折込ビラ用紙を示す図である。（ａ）は表側を示し、（ｂ）は裏側を示す。
【図８】本考案の他の実施の形態に係る折込ビラ用紙を折り込んで得られた紙製キャラクタフィギュアを示す図である。
【符号の説明】
【００３１】
１  紙製キャラクタフィギュア
２  折込ビラ用紙
１１，２３，３３  顔部
１２  口部
１３，２４  鼻部
１４  脚ヒレ部
１５，１７ａ〜１７ｈ，２５ａ〜２５ｅ，３２ａ〜３２ｅ  説明部
１６，３１  写真
１８，２２，３４  手順記載領域
１９  折込線
２１  正方形の部分
【図１】
0003104608.tif 000003
【図２】
0003104608.tif 000004
【図３】
0003104608.tif 000005
【図４】
0003104608.tif 000006
【図５】
0003104608.tif 000007
【図６】
0003104608.tif 000008
【図７】
0003104608.tif 000009
【図８】
0003104608.tif 000010
【手続補正書】
【提出日】平成16年4月15日(2004.4.15)
【手続補正１】
【補正対象書類名】実用新案登録請求の範囲
【補正対象項目名】全文
【補正方法】変更
【補正の内容】
【実用新案登録請求の範囲】
【請求項１】
ビラ用紙を所定の手順で折り込むことにより得られるキャラクタフィギュアであって、前記ビラ用紙は、キャラクタの部位を表示するキャラクタ部位表示領域と、前記ビラ用紙上に設けられ、種々の説明を記載した説明記載領域と、を具備し、前記キャラクタフィギュアが前記キャラクタ部位表示領域に表示されたキャラクタ部位により構成されることを特徴とするキャラクタフィギュア。
【請求項２】
前記説明記載領域は、分割して複数設けられており、前記キャラクタの形状にするように折り込む途中で、分割して設けられた前記説明記載領域に記載された文章が結合して説明を構成することを特徴とする請求項１記載のキャラクタフィギュア。
【請求項３】
前記ビラ用紙はＡ４サイズであり、前記Ａ４サイズのうち前記キャラクタを折り込む部分が正方形であり、残りの部分が前記キャラクタを折り込む手順を記載した部分であることを特徴とする請求項１又は請求項２記載のキャラクタフィギュア。
【請求項４】
前記ビラ用紙は、人物の写真又は絵を記載する人物領域を有し、前記人物領域は、前記キャラクタの形状にするように折り込む途中で前記人物の顔が現れる位置に設けられることを特徴とする請求項１から請求項３のいずれかに記載のキャラクタフィギュア。
【請求項５】
前記キャラクタが前記人物であることを特徴とする請求項４記載のキャラクタフィギュア。
【請求項６】
前記キャラクタが人気のある動物であることを特徴とする請求項１から請求項５のいずれかに記載のキャラクタフィギュア。
【請求項７】
前記キャラクタの形状にするように折り込む際に使用する折込線を有することを特徴とする請求項１から請求項６のいずれかに記載のキャラクタフィギュア。
【請求項８】
前記ビラ用紙が選挙ビラ用紙であることを特徴とする請求項１から請求項７のいずれかに記載のキャラクタフィギュア。
【請求項９】
前記ビラ用紙は選挙の立候補者の写真を含むことを特徴とする請求項８記載のキャラクタフィギュア。
【手続補正３】
【補正対象書類名】明細書
【補正対象項目名】０００１
【補正方法】変更
【補正の内容】
【０００１】
本考案はキャラクタフィギュアに関する。
【手続補正４】
【補正対象書類名】明細書
【補正対象項目名】０００４
【補正方法】変更
【補正の内容】
【０００４】
本考案はかかる点に鑑みてなされたものであり、受け取る側にインパクトを与え、多くの人々が好んで受け取ってもらえるような工夫がなされたキャラクタフィギュアを提供することを目的とする。
【手続補正５】
【補正対象書類名】明細書
【補正対象項目名】０００５
【補正方法】変更
【補正の内容】
【０００５】
本考案は、ビラ用紙を所定の手順で折り込むことにより得られるキャラクタフィギュアであって、前記ビラ用紙は、キャラクタの部位を表示するキャラクタ部位表示領域と、前記ビラ用紙上に設けられ、種々の説明を記載した説明記載領域と、を具備し、前記キャラクタフィギュアが前記キャラクタ部位表示領域に表示されたキャラクタ部位により構成されることを特徴とする。
【手続補正６】
【補正対象書類名】明細書
【補正対象項目名】０００７
【補正方法】変更
【補正の内容】
【０００７】
本考案のキャラクタフィギュアにおいては、前記説明記載領域は、分割して複数設けられており、前記キャラクタの形状にするように折り込む途中で、分割して設けられた前記説明記載領域に記載された文章が結合して説明を構成することが好ましい。
【手続補正７】
【補正対象書類名】明細書
【補正対象項目名】０００８
【補正方法】変更
【補正の内容】
【０００８】
本考案のキャラクタフィギュアにおいては、前記ビラ用紙本体はＡ４サイズであり、前記Ａ４サイズのうち前記キャラクタを折り込む部分が正方形であり、残りの部分が前記キャラクタを折り込む手順を記載した部分であることが好ましい。
【手続補正８】
【補正対象書類名】明細書
【補正対象項目名】０００９
【補正方法】変更
【補正の内容】
【０００９】
本考案のキャラクタフィギュアにおいては、前記ビラ用紙は、人物の写真又は絵を記載する人物領域を有し、前記人物領域は、前記キャラクタの形状にするように折り込む途中で前記人物の顔が現れる位置に設けられることが好ましい。
【手続補正９】
【補正対象書類名】明細書
【補正対象項目名】００１０
【補正方法】変更
【補正の内容】
【００１０】
本考案のキャラクタフィギュアにおいては、前記キャラクタが前記人物であることが好ましい。
【手続補正１０】
【補正対象書類名】明細書
【補正対象項目名】００１１
【補正方法】変更
【補正の内容】
【００１１】
本考案のキャラクタフィギュアにおいては、前記キャラクタが人気のある動物であることが好ましい。
【手続補正１１】
【補正対象書類名】明細書
【補正対象項目名】００１２
【補正方法】変更
【補正の内容】
【００１２】
本考案のキャラクタフィギュアにおいては、前記キャラクタの形状にするように折り込む際に使用する折込線を有することが好ましい。
【手続補正１２】
【補正対象書類名】明細書
【補正対象項目名】００１３
【補正方法】変更
【補正の内容】
【００１３】
本考案のキャラクタフィギュアにおいては、前記折込ビラ用紙が選挙ビラ用紙であることが好ましい。この場合、選挙の立候補者の写真を掲載しても良い。
【手続補正１３】
【補正対象書類名】明細書
【補正対象項目名】００１４
【補正方法】変更
【補正の内容】
【００１４】
本考案は、受け取る側にインパクトを与え、多くの人々が好んで受け取ってもらえるような工夫がなされたものであり、折込ビラ用紙を紙製キャラクタフィギュアに折り込むことにより、多くの人々が好奇心をもってそのフィギュアであるビラを受け取る。そのため、ビラに記載した説明を多くの人の目に触れさせることが可能となる。